(57)【要約】  【課題】  小型で騒音が小さく加湿量を増加させることのできる加湿装置を提供する。  【解決手段】  前面に配された吸気口１３から室内の空気を取り込んで吹出口２９、３０から送出する送風機２５と、吸気口１３と送風機２５との間に配されて吸気口１３から取り込まれた空気を加湿する加湿部２１とを備えた加湿装置１において、加湿部２１は、水を溜めるトレイ２３と、トレイ２３に一部を浸漬して水を吸収するとともに吸収した水を蒸発して空気を加湿する吸水材３３とを有し、送風機２５の駆動によって吸気口１３から取り込んだ空気の一部を吸水材３３に導くとともにトレイ２３に設けた通風孔２３ｂから取り込んだ空気をトレイ２３内を介して吸水材３３に導くようにした。【選択図】      図１３
2006071113.tif 000002
【特許請求の範囲】
【請求項１】
空気を取り込んで送出する送風機と、水を溜めるトレイと、前記トレイに一部を浸漬して水を吸収するとともに吸収した水を蒸発する吸水材とを備えた加湿装置において、前記トレイは空気を取り入れる通風孔を有し、前記送風機の駆動によって前記通風孔から空気を取り込んで前記吸水材に導く通路を前記トレイ内に設けたことを特徴とする加湿装置。
【請求項２】
吸気口から室内の空気を取り込んで吹出口から送出する送風機と、空気を加湿する加湿部とを備えた加湿装置において、前記加湿部は、外部と連通する通風孔を有するとともに水を溜めるトレイと、前記トレイに一部を浸漬して水を吸収するとともに吸収した水を蒸発する吸水材とを有し、前記送風機の駆動によって前記吸気口から取り込んだ空気の少なくとも一部を前記加湿部を通過することなく前記吹出口に導くとともに前記通風孔から取り込んだ空気を前記トレイ内を介して前記吸水材に導くことを特徴とする加湿装置。
【請求項３】
前記加湿部を前記吸気口と前記送風機との間に配置し、前記送風機の駆動によって前記吸気口から取り込まれた空気の一部を前記加湿部に導くことを特徴とする請求項２に記載の加湿装置。
【請求項４】
前記吸水材は屏風状に折曲して上下方向に延びる加湿通路を有し、前記送風機の前面に配された通気口を有する通気パネルにより前記吸水材の背面を遮蔽したことを特徴とする請求項２または請求項３に記載の加湿装置。
【請求項５】
イオンを放出するイオン発生部を備えたことを特徴とする請求項１〜請求項４のいずれかに記載の加湿装置。
【請求項６】
前記吸水材を覆って保持し、前記吸水材とともに前記トレイに設けた開口部に挿入して立設する保持枠を設け、前記保持枠の高さを可変にしたことを特徴とする請求項１〜請求項５のいずれかに記載の加湿装置。
【請求項７】
前記保持枠は高さ方向に分割される第１、第２部材を有し、第１部材が高さ方向に並設される複数の溝を側壁に有するとともに、第２部材が前記溝に嵌合する突起部を側壁に有することを特徴とする請求項６に記載の加湿装置。
【発明の詳細な説明】
【技術分野】
【０００１】
本発明は、室内から取り込まれた空気に水分を含んで送出する加湿装置に関する。
【背景技術】
【０００２】
特許文献１にはイオンを送出する空気清浄機が開示されている。この空気清浄機はハウジングの前面に吸気口を備え、背面に吹出口を備えている。ハウジング内には送風機が配され、送風機と吸気口との間に塵埃を捕集するフィルターが設けられている。また、吹出口の近傍にはプラスイオンとマイナスイオンを放出するイオン発生装置が設けられている。
【０００３】
送風機を駆動すると吸気口から取り込まれた室内の空気はフィルターにより塵埃が除去され、イオン発生装置から放出されるイオンを含んで吹出口から送出される。吹出口からプラスイオンとマイナスイオンを送出すると室内のカビ菌やウィルス等の浮遊菌をプラスイオンとマイナスイオンにより取り囲んで破壊し、殺菌効果を得ることができる。また、吹出口からマイナスイオンを送出することによりリラクゼーション効果を得ることができる。
【特許文献１】特開２００２−１０２３２７号公報（第４頁−第１０頁、第８図）
【発明の開示】
【発明が解決しようとする課題】
【０００４】
上記特許文献１に開示された空気清浄機によると、室内に送出されるイオンが空気中の塵埃と接触すると消滅し易いため、殺菌効果やリラクゼーション効果を得るために時間がかかる問題があった。この問題を解決するために、特願２００４−２２６１３２号にはイオン発生装置を搭載した加湿装置が記載されている。この加湿装置は、吸気口から取り込んだ空気の一部が吸水材から成る加湿フィルターに接触する。そして、加湿された空気にイオンを含んで室内に送出し、イオンを水分で取り囲んで保護することによりイオンの消失を低減する。
【０００５】
しかしながら、上記加湿装置は吸気口から取り込んだ空気の一部を加湿フィルターに接触させるため、イオン発生量が多い場合には加湿量が不足してイオンの消失が増加する問題があった。一方、加湿フィルターの大型化や加湿フィルターに導かれる空気の増加等によって加湿フィルターに接触する空気量を増加させると加湿量を増加させることができるが、加湿装置が大型になるとともに騒音が大きくなる問題がある。
【０００６】
本発明は、小型で騒音が小さく加湿量を増加させることのできる加湿装置を提供することを目的とする。
【課題を解決するための手段】
【０００７】
上記目的を達成するために本発明は、空気を取り込んで送出する送風機と、水を溜めるトレイと、前記トレイに一部を浸漬して水を吸収するとともに吸収した水を蒸発する吸水材とを備えた加湿装置において、前記トレイは空気を取り入れる通風孔を有し、前記送風機の駆動によって前記通風孔から空気を取り込んで前記吸水材に導く通路を前記トレイ内に設けたことを特徴としている。この構成によると、送風機の駆動によって室内の空気が通風孔からトレイ内に侵入し、トレイに浸漬される吸水材から蒸発した水分が含まれる。そして、水分を含んだ空気が室内に送出される。
【０００８】
また本発明は、上記構成の加湿器おいて、吸気口から室内の空気を取り込んで吹出口から送出する送風機と、空気を加湿する加湿部と、を備えた加湿装置において、前記加湿部は、外部と連通する通風孔を有するとともに水を溜めるトレイと、前記トレイに一部を浸漬して水を吸収するとともに吸収した水を蒸発する吸水材とを有し、前記送風機の駆動によって前記吸気口から取り込んだ空気の少なくとも一部を前記加湿部を通過することなく前記吹出口に導くとともに前記通風孔から取り込んだ空気を前記トレイ内を介して前記吸水材に導くことを特徴としている。
【０００９】
この構成によると、送風機の駆動によって室内の空気が吸気口から取り込まれ、吹出口から送出される。また、室内の空気はトレイに設けられた通風孔からトレイ内に侵入し、トレイに浸漬される吸水材から蒸発した水分が含まれる。そして、水分を含んだ空気が吹出口から送出される。吸気口から取り込まれた空気が吸水材に導かれるようにしてもよい。
【００１０】
また本発明は、上記構成の加湿装置において、前記加湿部を前記吸気口と前記送風機との間に配置し、前記送風機の駆動によって前記吸気口から取り込まれた空気の一部を前記加湿部に導くことを特徴としている。この構成によると、送風機の駆動によって吸気口から取り込まれた空気は加湿部で吸水材から蒸発した水分が含まれ、通風孔からトレイ内を介して吸水材に導かれた空気と合流する。そして、水分を含んだ空気が吹出口から送出される。
【００１１】
また本発明は、上記構成の加湿装置において、前記吸水材は屏風状に折曲して上下方向に延びる加湿通路を有し、前記送風機の前面に配された通気口を有する通気パネルにより前記吸水材の背面を遮蔽したことを特徴としている。この構成によると、吸水材は上面から見てジグザグな壁面を有する屏風状に折曲される。吸水材に導かれる空気は吸水材の背面が遮蔽されるため吸水材の各壁面に沿って上昇し、吸水材から蒸発した水分を含んで通気口に導かれる。
【００１２】
また本発明は、上記構成の加湿装置において、イオンを放出するイオン発生部を備えたことを特徴としている。この構成によると、水分を含んだ空気はイオン発生部により発生したイオンを含み、水分により取り囲まれて保護されたイオンが吹出口から送出される。吹出口からプラスイオンとマイナスイオンを送出すると室内のカビ菌やウィルス等の浮遊菌をプラスイオンとマイナスイオンにより取り囲んで破壊し、殺菌効果が得られる。また、吹出口からマイナスイオンを送出することによりリラクゼーション効果が得られる。
【００１３】
また本発明は、上記構成の加湿装置において、前記吸水材を覆って保持し、前記吸水材とともに前記トレイに設けた開口部に挿入して立設する保持枠を設け、前記保持枠の高さを可変にしたことを特徴としている。この構成によると、吸水材の大きさに応じて保持枠の高さを可変して吸水材が保持される。
【００１４】
また本発明は、上記構成の加湿装置において、前記保持枠は高さ方向に分割される第１、第２部材を有し、第１部材が高さ方向に並設される複数の溝を側壁に有するとともに、第２部材が前記溝に嵌合する突起部を側壁に有することを特徴としている。この構成によると、第２部材の突起部を吸水材の大きさに応じた位置の第１部材の溝に嵌合して第１、第２部材が連結される。
【発明の効果】
【００１５】
本発明によると、トレイに通風孔と通風孔から空気を吸い込んで吸水材に導く通路とを設けたので、トレイ内を流通する空気が吸水材及びトレイ内の蒸発した水分を含み、小型で騒音が小さく加湿量を増加した加湿装置を得ることができる。
【００１６】
また本発明によると、送風機の駆動によって吸気口から取り込んだ空気の少なくとも一部を加湿部を通過することなく吹出口に導くとともにトレイに設けた通風孔から取り込んだ空気をトレイ内を介して吸水材に導くので、トレイ内を流通する空気が吸水材及びトレイ内の蒸発した水分を含み、小型で騒音が小さく加湿量を増加した加湿装置を得ることができる。
【００１７】
また本発明によると、送風機の駆動によって吸気口から取り込んだ空気の一部を吸水材に導くので、吸水材の前方からの空気とトレイに設けられた通風孔からトレイ内を通る空気とが吸水材に導かれ、吸水材を接触する空気量が増加する。従って、加湿量をより増加することができる。
【００１８】
また本発明によると、加湿通路は吸水材を屏風状に折曲して上下方向に延びて形成され、通気パネルにより吸水材の背面を遮蔽したので、空気は吸水材の折曲された各壁面に沿って上昇して加湿される。従って、加湿装置の奥行を狭くするとともに、加湿通路の長さを長く確保して充分な加湿量を得ることができる。
【００１９】
また本発明によると、イオン発生装置を備えるので、充分な量の水分によりイオンを取り囲んでイオンの消失が低減され、殺菌効果やリラクゼーション効果を迅速に得ることができる。
【００２０】
また本発明によると、吸水材を保持する保持枠の高さを可変にしたので、加湿装置の機種により大きさの異なる吸水材を同じ保持枠で保持することができる。従って、部品を共通化して加湿装置のコストを削減することができる。
【００２１】
また本発明によると、保持枠は高さ方向に分割される第１、第２部材の側壁にそれぞれ溝と突起部を設けたので、高さが可変の保持枠を容易に実現することができる。
【発明を実施するための最良の形態】
【００２２】
以下に本発明の実施形態を図面を参照して説明する。図１は一実施形態の加湿装置を示す斜視図である。加湿装置１はベース１１の支持により本体部１０が立設されている。本体部１０の前面は前面パネル１２により覆われている。前面パネル１２には室内の空気を取り込む吸気口１３が設けられるとともに、本体部１０と前面パネル１２との隙間により側面吸気口１４が形成されている。本体部１０の上部にはユーザ操作を行う操作パネル１５が設けられる。
【００２３】
図２は加湿装置１の前面パネル１２を取り外した状態を示す側面断面図である。本体部１０内には軸方向に吸気して周方向に排気する送風機２５が設けられる。送風機２５は吸気側が吸気口１３に面して配され、通気口２７を有する通気パネル２８により前面が覆われる。通気パネル２８によって本体部１０の後部には上下に延びる通風路３１が形成される。通風路３１は上方に向けて開口する吹出口２９が設けられるとともに、斜め上方に屈曲して前方に開口する吹出口３０が設けられる。これにより、送風機２５の排気が吹出口２９、３０に導かれる。
【００２４】
送風機２５と吹出口２９との間にはイオン発生装置２６が設けられている。図４に示すように、イオン発生装置２６は高圧電圧の印加によりイオンを発生するイオン発生素子２６ａを有している。
【００２５】
イオン発生素子２６ａには交流波形またはインパルス波形から成る電圧が印加される。イオン発生素子２６ａの印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭気成分の表面で凝集してこれらを取り囲む。
【００２６】
そして、式（１）〜（３）に示すように、衝突により活性種である［・ＯＨ］（水酸基ラジカル）やＨ2Ｏ2（過酸化水素）を微生物等の表面上で凝集生成して浮遊菌等を破壊し殺菌する。ここで、ｎ’、ｍ’は整数である。従って、プラスイオン及びマイナスイオンを発生して吹出口２９、３０から送出することにより室内の殺菌及び臭い除去を行うことができる。
【００２７】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００２８】
前面パネル１２と通気パネル２８との間には空気清浄用フィルターユニット２０及び加湿部２１が配される。吸気口１３(図１参照)に面して配される空気清浄用フィルターユニット２０は、加湿装置に組み込むものとして設計されている。図４は空気清浄用フィルターユニット２０の分解斜視図を示している。
【００２９】
空気清浄用フィルターユニット２０は枠体５６内に空気の吸込み側から順にプレフィルター５２、脱臭フィルター５４、集塵フィルター５５の３種類のフィルターが配設されている。プレフィルター５２と脱臭フィルター５４との間にはフィルター押え５３が配されている。
【００３０】
図５はプレフィルター５２を示す斜視図である。プレフィルター５２はＡＢＳ等の合成樹脂で形成された４段４列の窓を有する矩形の枠６１にポリプロピレン製のメッシュ６２を溶着して形成されている。枠６１の両側面には２個づつの突起部６３が設けられ、正面につまみ６４が突設されている。プレフィルター５２によって吸気中の大きな塵埃を捕集することができる。
【００３１】
図６、図７は脱臭フィルター５４の斜視図及び側面図を示している。脱臭フィルター５４はポリプロピレン繊維やポリエステル繊維から成る矩形の袋体４１を有している。袋体４１は上下方向に連続した大きさが均等な複数の収納室４２に区分けされている。各収納室４２内には活性炭等の吸着材６８（図１１参照）が均一に分散して詰められている。これにより、各収納室４２が膨らんで脱臭フィルター５４は表面に凹凸が形成される。尚、収納室４２の数は特に限定されない。吸着材６８として、やしがら系、石炭ピッチ系、ポリアクリロニトリル系、セルロース系等の活性炭等を用いることができる。
【００３２】
図８は脱臭フィルター５４の側面断面図を示している。各収納室４２は袋体４１の表面側と裏面側とを縫い合わせて形成される。この時、縫い目６７が傾斜するように縫い合わされる。脱臭フィルター５４の装着状態では各収納室４２に詰められた吸着材６８が自重で下降し、各収納室４２の上部に空間部４２ａが形成される。この時、縫い目６７が傾斜しているため各収納室４２の上方の収納室４２の下部に吸着材６８が詰められる。
【００３３】
これにより、脱臭フィルター５４に入った空気は、矢印αで示すように、必ず吸着材１８と接触しながら通過して放出され、脱臭効果が向上する。また、袋体４１を一列配置するだけでよく、脱臭フィルター５４の薄型化を図ることができる。
【００３４】
図９は集塵フィルター５５の斜視図を示している。集塵フィルター５５はＨＥＰＡフィルターから成り、濾材（不図示）を覆うように枠材（不図示）がホットメルトにより溶着されている。濾材はポリエステル／ビニロン系の不織布から成る骨材とメルトブロー不織布とを重ね合わせ、折り畳んで構成される。メルトブロー不織布として電石加工された東レ株式会社製トレミクロン(登録商標)が用いられる。また、濾材の表面にはハイドロキシアパタイト加工した不織布から成る抗菌シートが重ねて熱圧着されている。集塵フィルター５５によって微細な塵埃を捕集する。
【００３５】
図１０はフィルター押さえ枠５３を脱臭フィルター５４の側から見た斜視図である。フィルター押さえ枠５３は矩形の枠６４に空気の流入が可能な複数段複数列の角孔６５を有している。角孔６５の高さは脱臭フィルター５４の表面の凹凸に合わせて設定されている。
【００３６】
また、風下側の脱臭フィルター５４に対向する面には、各角孔６５の間に桟状の突起部６６が設けられている。突起部６６は横幅がフィルター押さえ枠５３の横幅と同じであり、脱臭フィルター５４に向かって水平方向に突出している。突起部６６により脱臭フィルター５４を押さえて位置ずれを防止するようになっている。尚、突起部６６は必ずしも桟状である必要はなく、ピン等の突起であってもよい。
【００３７】
図１１は枠体６１の斜視図を示している。枠体６１は、風上側の面が開放された箱体７１から成り、風下側の面には格子枠７３により空気の流入が可能な角孔７２が形成されている。格子枠７３は集塵フィルター５５の脱落を防止するためのものである。枠体６１の厚さは集塵フィルター５５、脱臭フィルター５４、フィルター押さえ枠５３及びプレフィルター５２が収納可能な厚さになっている。箱体７１の両側面には両側面には２個づつの係止穴７４が設けられる。図１５に示すように、プレフィルター５２の突起部６３が係止孔７４に嵌合して、内部の脱臭フィルター５４等が脱落することなく、空気清浄用フィルターユニット２０が一体に形成される。
【００３８】
図２において、空気清浄用フィルターユニット２０と通気パネル２８との間には所定幅の空間部３２が形成されている。空間部３２を設けることにより空気清浄用フィルターユニット２０を通過した空気が通気口２７にスムーズに流入し、圧力損失及び騒音を低減できるようになっている。また、加湿部２１は空間部３２の下部に配置されている。
【００３９】
図１３は加湿部２１の正面図を示している。加湿部２１は加湿フィルター２２、トレイ２３及び水タンク２４により構成されている。水タンク２４は加湿用の水２４ｅが貯水され、仕切壁４０により空間部３２と隔離されるタンク室４１内に配置される。水タンク２４の下端にはジョイント２４ａが形成され、上面には取っ手部２４ｃが形成されている。
【００４０】
ジョイント２４ａは本体部１０の下部に配置されたトレイ２３の一端に設けられる給水口２３ａに連結される。これにより、水タンク２４が本体部１０の側部に立設される。ジョイント２４ａ内には止水弁２４ｂが設けられる。水タンク２４をトレイ２３に装着すると、トレイ２３の給水口２３ａの弁押さえ２３ｄが止水弁２４ａを開いて水タンク２４の水２４ｅがトレイ２３に供給される。水タンク２４を取り外すと止水弁２４ｂが閉じて漏水が防止されるようになっている。
【００４１】
トレイ２３には上面の後部に開口部(不図示)が設けられ、加湿フィルター２２が挿入されている。加湿フィルター２２と水タンク２４との間のトレイ２３上面には、タンク室４１内に臨む通風孔２３ｂが開口している。
【００４２】
加湿フィルター２２は吸水性を有する吸水材３３と、吸水材３３を覆って保持する保持枠３４とを有している。図１４、図１５は吸水材３３を示す上面図及び正面図である。吸水材３３は前後方向にジグザグに折曲した屏風状に形成されている。吸水材３３は下端がトレイ２３内の水２３ｅに浸漬され、トレイ２３内の水２３ｅを吸い上げて保水する。
【００４３】
折曲により前後方向に延びる吸水材３３の各壁面は所定隙間を有して形成されている。これにより、吸水材３３の各壁面間を上下方向に延びた平面的に視てハニカム状の加湿通路２２ｃが形成され、加湿通路２２ｃ内を下方から上方に向かって空気が移動できるようになっている。加湿通路２２ｃをハニカム状に形成することにより、圧力損失の増加を防止することができる。
【００４４】
図１６、図１７は保持枠３４の正面図及び左側面図を示している。樹脂成形品から成る保持枠３４の前面及び背面には格子状の桟３４ｂによって開口部３４ａが形成され、吸水材３３が露出されるようになっている。保持枠３４は上下方向に分割される第１、第２部材３５、３６と、第１部材３５の前面を覆う第３部材３７から成っている。
【００４５】
図１８は第１部材３５の概略構成を示す正面図である。第１部材３５は前面及び下面が開放され、側壁３５ａの内面には前後方向に延びて高さ方向に並んだ複数の溝３５ｃが設けられている。また、側壁３５ａ及び上壁３５ｄの外面には複数の係合突起３５ｄが設けられている。
【００４６】
図１９は第２部材３６の概略構成を示す正面図である。第２部材３６は上面、前面及び背面が開放され、側壁３６ａの外面には第１部材３５の溝３５ｃに嵌合する突起部３６ｃが設けられる。また、側壁３６ａの外面には加湿フィルター２２をトレイ２３に挿入した際のストッパ３６ｂが設けられている。
【００４７】
図２０は第３部材３７の概略構成を示す正面図である。第３部材３７は背面及び下面が開放され、側壁及び上壁の外面には第１部材３５の係合突起３５ｄと係合する係合爪３７ｄが設けられている。
【００４８】
第２部材３６の突起部３６ｃを第１部材３５の溝３５ｃに嵌合して一体化された第１、第２部材３５、３６に吸水材３３が挿入される。そして、前述の図１７に示すように係合突起３５ｄと係合爪３７ｄとが係合して第１部材３５に第３部材３７が取り付けられ、吸水材３３の前面が覆われる。この時、第２部材３６は第３部材３７により前面を覆われて脱落が防止される。
【００４９】
第１部材３５には高さ方向に溝３５ｃが並設されるため吸水材３３の大きさに応じて別の位置の溝３５ｃに第２部材の突起部３６ｃを嵌合して加湿フィルター２２を形成することができる。従って、加湿装置１の機種により大きさの異なる吸水材３３を同じ保持枠３４で保持し、部品を共通化して加湿装置１のコストを削減することができる。尚、第１、第２部材３５、３６を一体成形した場合は、第１、第２部材３５、３６の部品共通化を図ることはできないが、第３部材３７については部品共通化を図ることができる。
【００５０】
図２において、加湿フィルター２２は通気パネル２８により背面を塞がれている。これにより、加湿通路２２ｃを下方から上方に向かって空気が容易に流通することができる。また、送風機２５の前面に加湿フィルター２２が配されるため、空気清浄用フィルターユニット２０を取り外すことにより加湿フィルター２２を開口部から抜き出して容易に加湿フィルター２２の清掃や交換を行うことができる。加えて、送風機２５の前面に加湿部２１を配置すると加湿部２１を下方に設置することができる。このため、トレイ２３や水タンク２４の漏水による電装部品の故障を防止することができる。
【００５１】
上記構成の空気調和機１において、送風機２５が駆動されると吸気口１３から本体部１０内に室内の空気が取り込まれる。また、タンク室４１を介して矢印Ｂ２に示すようにトレイ２３の通風孔２３ｂからトレイ２３内に室内の空気が取り込まれる。吸気口１３から取り込まれた空気は矢印Ａ（図２参照）に示すように空気清浄用フィルターユニット２０を通過して塵埃が捕集され、ウィルスやアレルゲンが不活化される。空気清浄用フィルターユニット２０を通過した空気は通気口２７を介して通風路３１に流入する。
【００５２】
また、空気清浄用フィルターユニット２０を通過した下方の一部の空気は加湿フィルター２２に衝突し、背面側が遮蔽されるため吸水材３３の折曲された壁面に沿って矢印Ｂ１（図２参照）に示すように加湿通路２２ｃ内を下方から上方に向かって上昇する。また、通風孔２３ｂからトレイ２３に取り込まれた空気（Ｂ２）はトレイ２３内を流通して下方から矢印Ｂ３に示すように加湿通路２２ｃ内を上昇する。この時、加湿フィルター２２に保水された水分が蒸発して加湿通路２２ｃを流通する空気（Ｂ１、Ｂ３）内に取り込まれ、加湿された空気が矢印Ｂ４に示すように通気口２７を介して通風路３１に流入する。
【００５３】
矢印Ｃに示すように通風路３１を流通する空気は、イオン発生装置２６から放出されるイオンと水分子とが加湿装置１の本体内で混合される。これにより、水分子がイオンを取り囲んだ状態で、本体の吹出口２９、３０から室内に送出される。
【００５４】
また、操作パネル１５(図１参照)の操作によってプラスイオン及びマイナスイオンを室内に送出するモードと、マイナスイオンのみを室内に送出するモードとを切り替えることができるようになっている。これにより、プラスイオン及びマイナスイオンを室内に送出して室内に浮遊する浮遊菌を殺菌及び臭い除去することができる。また、モードを切り替えてマイナスイオンを室内に送出してリラクゼーション効果を得ることができる。
【００５５】
室内に送出されるイオンは水分子により周囲が取り囲まれる。この時、加湿部２１による空気の加湿を行わない場合は粒子径が２〜３ｎｍと推定されるが、加湿部２１による加湿を行うと水分子の数が増加して粒子径が約１８ｎｍになると推定される。このため、空気中のカビ菌やウィルス等の浮遊菌とイオンとが衝突する度合が高くなる。また、空気中の塵埃にイオンが衝突した際に、イオンは水分子に保護され消滅が低減される。従って、室内の浮遊菌を迅速に除去することができる。
【００５６】
また、マイナスイオンのみを室内に送出する際も同様にイオンが水分に取り囲まれ、塵埃との衝突によるイオンの消滅が低減される。従って、リラクゼーション効果を効率よく迅速に得ることができる。
【００５７】
更に、衣類、カーテン、ソファー等の繊維とイオンが衝突した際に、イオンｉは水分子ｈに取り囲まれているために保護された状態となり、イオンの消滅が低減される。従って、繊維内の奥深くに水分子に囲まれたイオンが進入して、付着した臭気成分を取り囲んで破壊し、臭いを迅速に効率よく除去することができる。
【００５８】
本実施形態によると、送風機２３の駆動によって吸気口１３から取り込んだ空気（Ａ）の一部を吸水材３３に導くとともに、トレイ２３に設けた通風孔２３ｂから取り込んだ空気（Ｂ２）をトレイ２３内の水２３ｅの上方に形成される通路を介して吸水材３３に導くので、吸気口１３から加湿部２１を通過せずに送風機２５に導かれる空気量を減らすことなく加湿通路２２ｃを流通する空気量が増加する。
【００５９】
このため、送風機２３の回転数の増加による騒音や加湿フィルター２１の大型化による加湿装置１の大型化を防止し、小型で騒音が小さく加湿量の大きい加湿装置１を得ることができる。また、トレイ２３内の通路を流通する空気がトレイ２３内の蒸発した水分を含み、更に加湿量を増加させることができる。従って、イオン発生量が多くなってもイオンは水分で取り囲まれて消失が低減され、殺菌効果やリラクゼーション効果を迅速に得ることができる。
【００６０】
尚、本実施形態では吸気口１３から取り込んだ空気（Ａ）の一部を加湿部２１の吸水材３３に導いているが、吸気口１３から取り込んだ空気（Ａ）が加湿部２１を通過することなく吹出口２９に導かれるようにしてもよい。このようにしても、通風孔２３ｂを介してトレイ２３内を流通する空気が吸水材３３及びトレイ２３内の蒸発した水分を含み、小型で騒音が小さく加湿量が大きい加湿装置を得ることができる。
【００６１】
また、本実施形態ではイオン発生装置２６が設けられるが、イオン発生装置２６を設けない加湿装置においてもトレイ２３内に通風孔２３ｂを設けることにより小型で騒音が小さく加湿量を増加した加湿装置を得ることができる。
【産業上の利用可能性】
【００６２】
本発明によると、室内を加湿する加湿装置に利用することができる。また、加湿部を有して室内に水分及びイオンを含んだ空気を送出する加湿装置に利用することができる。更に、加湿装置にフィルターや温度調節機能を付加した空気清浄機や空気調和機に利用することができる。
【図面の簡単な説明】
【００６３】
【図１】本発明の実施形態の加湿装置を示す斜視図
【図２】本発明の実施形態の加湿装置を示す側面断面図
【図３】本発明の実施形態の加湿装置のイオン発生装置を示す斜視図
【図４】本発明の実施形態の加湿装置の空気清浄用フィルターユニットを示す分解斜視図
【図５】本発明の実施形態の加湿装置のプレフィルターを示す斜視図
【図６】本発明の実施形態の加湿装置の脱臭フィルターを示す斜視図
【図７】本発明の実施形態の加湿装置の脱臭フィルターを示す側面図
【図８】本発明の実施形態の加湿装置の脱臭フィルターを示す側面断面図
【図９】本発明の実施形態の加湿装置の集塵フィルターを示す斜視図
【図１０】本発明の実施形態の加湿装置のフィルター押え枠を示す斜視図
【図１１】本発明の実施形態の加湿装置の空気清浄用フィルターユニットの枠体を示す斜視図
【図１２】本発明の実施形態の加湿装置の空気清浄用フィルターユニットの枠体とプレイフィルターの結合状態を示す斜視図
【図１３】本発明の実施形態の加湿装置の加湿部を示す正面図
【図１４】本発明の実施形態の加湿装置の加湿フィルターの吸水材を示す上面図
【図１５】本発明の実施形態の加湿装置の加湿フィルターの吸水材を示す正面図
【図１６】本発明の実施形態の加湿装置の加湿フィルターの保持枠を示す正面図
【図１７】本発明の実施形態の加湿装置の加湿フィルターの保持枠を示す側面図
【図１８】本発明の実施形態の加湿装置の加湿フィルターの保持枠の第１部材の概略構成を示す正面図
【図１９】本発明の実施形態の加湿装置の加湿フィルターの保持枠の第２部材の概略構成を示す正面図
【図２０】本発明の実施形態の加湿装置の加湿フィルターの保持枠の第３部材の概略構成を示す正面図
【符号の説明】
【００６４】
１    加湿装置
１０    本体部
１２    前面パネル
１３    吸気口
１４    側面吸気口
１５    操作パネル
２０    空気清浄用フィルターユニット
２１    加湿部
２２    加湿フィルター
２２ｃ  加湿通路
２３    トレイ
２３ｂ  通風孔
２４    水タンク
２５    送風機
２６    イオン発生装置
２７    通気口
２８    通気パネル
２９、３０  吹出口
３１    通気路
３２    空間部
３３    吸水材
３４    保持枠
３５〜３７  第１〜第３部材
５２    プレフィルター
５３    フィルター押え枠
５４    脱臭フィルター
５５    集塵フィルター
【図１】
2006071113.tif 000003
【図２】
2006071113.tif 000004
【図３】
2006071113.tif 000005
【図４】
2006071113.tif 000006
【図５】
2006071113.tif 000007
【図６】
2006071113.tif 000008
【図７】
2006071113.tif 000009
【図８】
2006071113.tif 000010
【図９】
2006071113.tif 000011
【図１０】
2006071113.tif 000012
【図１１】
2006071113.tif 000013
【図１２】
2006071113.tif 000014
【図１３】
2006071113.tif 000015
【図１４】
2006071113.tif 000016
【図１５】
2006071113.tif 000017
【図１６】
2006071113.tif 000018
【図１７】
2006071113.tif 000019
【図１８】
2006071113.tif 000020
【図１９】
2006071113.tif 000021
【図２０】
2006071113.tif 000022